(57)【要約】【課題】複数の偽造防止機能を付与することにより、より高度な偽造防止効果を有する表示体を提供することにある。【解決手段】光透過性を有する基材の一方の面上に、誘電体層からなる第１界面領域と金属層を有する第２界面領域とが、順次積層または隣接してなる単位セルの集合体で構成された表示体であって、前記第１界面領域と第２界面領域のどちらか一方が１００ｎｍ２以上１６００００ｎｍ２以下であることを特徴とする表示体である。【選択図】図１
2013218595.tif 000002
【特許請求の範囲】
【請求項１】
光透過性を有する基材の一方の面上に、誘電体層からなる第１界面領域と金属層を有する第２界面領域とが、順次積層または隣接してなる単位セルの集合体で構成された表示体であって、
前記第１界面領域と第２界面領域のどちらか一方が１００ｎｍ２以上１６００００ｎｍ２以下であることを特徴とする表示体。
【請求項２】
前記第１界面領域と第２界面領域のパターン形状が異なることを特徴とする請求項１に記載の表示体。
【請求項３】
前記単位セルの周期が異なる集合体で構成されたことを特徴とする請求項１または２に記載の表示体。
【請求項４】
前記周期が５０ｎｍ〜５００ｎｍであることを特徴とする請求項３に記載の表示体。
【請求項５】
前記金属層の可視光波長領域における複素誘電率の実部が負の値であることを特徴とする請求項１から４のいずれかに記載の表示体。
【請求項６】
前記金属層が金属微粒子からなることを特徴とする請求項１から５のいずれかに記載の表示体。
【請求項７】
前記誘電体層および前記金属層の各々の層厚が、下記数３を満たすことを特徴とする請求項１から６のいずれかに記載の表示体。
【数３】
2013218595.tif 000005
δ：層厚  c：光速  ω：角周波数  ε１：誘電体層の誘電率  ε２：金属層の誘電率
【請求項８】
前記金属層の層厚が１０ｎｍ以上２００ｎｍ以下であることを特徴とする請求項１から７のいずれかに記載の表示体。
【請求項９】
前記金属微粒子の層厚が２ｎｍ以上２０ｎｍ以下であることを特徴とする請求項６から８のいずれかに記載の表示体。
【請求項１０】
請求項１から９のいずれかに記載の表示体の真贋判定方法であって、前記表示体に対して光を入射し、透過光を目視で確認することを特徴とする表示体の真贋判定方法。
【発明の詳細な説明】
【技術分野】
【０００１】
本発明は、表面プラズモン共鳴による偽造防止効果を有する表示体と、その真贋判定方法に関する。
【背景技術】
【０００２】
有価証券、証明書、ブランド品、電子機器及び個人認証媒体などの物品には、偽造が困難であることが望まれる。そのため、このような物品には、偽造防止効果に優れた表示体を支持させることがある。
【０００３】
従来、偽造防止技術を施した表示体として、種々の構成が知られている。例えば、特許文献１では、蛍光発光インキを用いた蛍光画像形成物のセキュリティレベルを上げるために、それぞれの蛍光体が発光する蛍光の波長領域が異なる２種類の蛍光体を含有する蛍光画像形成物を用いている。また特許文献３では、特定の角度からのみ確認できる凹版潜像が開示されている。また特許文献４では、ホログラム層と光反射性層と配向膜との組み合わせによる真偽判定用媒体が開示されている。
【０００４】
しかしながら、これら上記の提案はいずれも一つの偽造防止機能によるために、よりレベルの高い偽造防止効果を提供するには問題がある。
【０００５】
また、上記の提案は何れも表示体の反射光による反射像を目視観察しており、表示体を光に透過させた際の透過光による透過像に対して着目されていない。
【先行技術文献】
【特許文献】
【０００６】
【特許文献１】特開平１０−２５０２１４号公報
【特許文献２】特開２００４−１８１７９１号公報
【特許文献３】特開平１１−２９１６０９号公報
【特許文献４】特開２００５−０９１７８６号公報
【特許文献５】特表２００２−５３０６８７号公報
【特許文献６】特表２００９−５３５６７０号公報
【特許文献７】特開平５−２７３５００号公報
【特許文献８】特開２００８−１３９５０８号公報
【発明の概要】
【発明が解決しようとする課題】
【０００７】
本発明の目的は、複数の偽造防止機能を付与することにより、より高度な偽造防止効果を有する表示体を提供することにある。
【課題を解決するための手段】
【０００８】
本発明の請求項１に係る発明は、光透過性を有する基材の一方の面上に、誘電体層からなる第１界面領域と金属層を有する第２界面領域とが、順次積層または隣接してなる単位セルの集合体で構成された表示体であって、
前記第１界面領域と第２界面領域のどちらか一方が１００ｎｍ２以上１６００００ｎｍ２以下であることを特徴とする表示体である。
【０００９】
また、本発明の請求項２に係る発明は、前記第１界面領域と第２界面領域のパターン形状が異なることを特徴とする請求項１に記載の表示体である。
【００１０】
また、本発明の請求項３に係る発明は、前記単位セルの周期が異なる集合体で構成されたことを特徴とする請求項１または２に記載の表示体である。
【００１１】
また、本発明の請求項４に係る発明は、前記周期が５０ｎｍ〜５００ｎｍであることを特徴とする請求項３に記載の表示体である。
【００１２】
また、本発明の請求項５に係る発明は、前記金属層の可視光波長領域における複素誘電率の実部が負の値であることを特徴とする請求項１から４のいずれかに記載の表示体である。
【００１３】
また、本発明の請求項６に係る発明は、前記金属層が金属微粒子からなることを特徴とする請求項１から５のいずれかに記載の表示体である。
【００１４】
また、本発明の請求項７に係る発明は、前記誘電体層および前記金属層の各々の層厚が、下記数１を満たすことを特徴とする請求項１から６のいずれかに記載の表示体である。
【００１５】
【数１】
2013218595.tif 000003
δ：層厚  c：光速  ω：角周波数  ε１：誘電体層の誘電率  ε２：金属層の誘電率
【００１６】
また、本発明の請求項８に係る発明は、前記金属層の層厚が１０ｎｍ以上２００ｎｍ以下であることを特徴とする請求項１から７のいずれかに記載の表示体である。
【００１７】
また、本発明の請求項９に係る発明は、前記金属微粒子の層厚が２ｎｍ以上２０ｎｍ以下であることを特徴とする請求項６から８のいずれかに記載の表示体である。
【００１８】
また、本発明の請求項１０に係る発明は、請求項１から９のいずれかに記載の表示体の真贋判定方法であって、前記表示体に対して光を入射し、透過光を目視で確認することを特徴とする表示体の真贋判定方法である。
【発明の効果】
【００１９】
本発明によれば、光透過性を有する基材の一方の面上に、誘電体層からなる第１界面領域と金属層を有する第２界面領域とが、順次積層または隣接してなる単位セルの集合体からなる表示体であって、第１界面領域と第２界面領域のどちらか一方の単位セル面積を１００ｎｍ２以上１６００００ｎｍ２以下にすることにより、表面プラズモン共鳴効果を得ることができ、従来の反射光によるパターン形成に加えて、透過光によるパターン形成が可能となる。
【００２０】
また、第１界面領域と第２界面領域との形状や膜厚を変えること、さらには単位セルの周期を変えること等により、より複雑に表面プラズモン共鳴効果を得ることができ、従来にない複雑な偽造防止効果が得られ、より高度な真贋判定が可能となる。
【図面の簡単な説明】
【００２１】
【図１】本発明の一態様に係る表示体の一例を示す断面図。
【図２】本発明の一態様に係る表示体の他の例を示す断面図。
【図３】本発明の一態様に係る表示体の他の例を示す断面図。
【図４】本発明の一態様に係る表示体の他の例を示す断面図。
【図５】本発明の一態様に係る表示体の他の例を示す断面図。
【図６】各界面領域の一例を示す斜視図。
【図７】各界面領域の他の例を示す斜視図。
【図８】各界面領域の他の例を示す斜視図。
【図９】本発明の一態様に係る表示体の他の例を示す断面図。
【図１０】本発明の誘電体層と金属層または金属微粒子層との界面におけるセルの一例を示す平面図。
【図１１】本発明の一態様に係る表示体の一例を示す平面図。
【図１２】図９に示す表示体の正面を表示体からの透過光で観察する場合の一例を示す平面図。
【発明を実施するための形態】
【００２２】
以下、本発明の態様について、図面を参照しながら詳細に説明する。なお、同様又は類似した機能を発揮する構成要素には全ての図面を通じて同一の参照符号を付し、重複する説明は省略する。
【００２３】
図１は、本発明の一態様に係る表示体の一例を示す断面図である。図２は、本発明の一態様に係る表示体の他の例を示す断面図である。図１及び図２では、表示体１００の主面に平行であり且つ互いに直交する方向をＸ方向及びＹ方向とし、表示体１００の主面に垂直な方向をＺ方向としている。
【００２４】
図１に示す表示体１００は、基材１０と、基材１０に積層された誘電体層１１と、金属層１２とを含んでいる場合を描いている。図１には、一例として金属層１２が誘電体層１１に対して前面側に位置している場合を描いている。
【００２５】
誘電体層１１の一方の主面には、界面領域ＩＰ１および界面領域ＩＰ２が形成されている。界面領域ＩＰ１および界面領域ＩＰ２は各々表面エネルギーまたは表面積が異ならしめて形成されていても良い。また、界面領域ＩＰ１および界面領域ＩＰ２は湿潤性を異ならしめて形成されていても良い。誘電体層１１の材料としては、例えば、可視光透過性を有する樹脂を使用することができる。
【００２６】
誘電体層１１は、単層構造を有していてもよく、多層構造を有していてもよい。誘電体層１１は、樹脂への染料の添加などにより、着色されていてもよい。また、金属、半導体、セラミック、磁性材料などからなる微粒子が添加されていてもよい。
【００２７】
また、誘電体層１１の材料として、例えばＳｉＯ２やＴｉＯ２、ＭｇＦ２などの無機材料やそれらの混合物を使用することができる。
【００２８】
なお無機材料を誘電体層１１とする際には、例えば、蒸着、スパッタリングなどの薄膜形成技術により形成することができる。
【００２９】
金属層１２は、誘電体層１１に設けられた第１界面領域ＩＰ１と第２界面領域ＩＰ２のうちどちらか一方の界面領域を被覆している。金属層１２を設けることにより、後に説明する光学効果および表面プラズモン共鳴が生じる。図１に示す表示体１００においては、金属層１２は第１の界面領域ＩＰ１に形成されている。
【００３０】
金属層１２の材料としては、可視光波長領域において複素誘電率の実部が負の値である金属材料が必要である。例えば、アルミニウム、銀及び金などの金属材料が挙げられる。そうすることで、可視光波長領域において後に説明する表面プラズモン共鳴が生じる。金属層１２は、単層構造を有していてもよく、多層構造を有していてもよい。
【００３１】
金属層１２は、例えば、蒸着及びスパッタリングなどの薄膜形成技術により形成することができる。更には、金属層１２を空間的に分布させるために、マスク蒸着、化学的エッ
チング、レーザー加工などの手法が用いられる。金属層１２を空間的に分布させることにより、この金属層１２の分布を用いて像を表現することもできる。
【００３２】
図２に示す表示体１００は、図１に示す形態において、金属層１２が第２の界面領域ＩＰ２に形成された場合を描いている。
【００３３】
図３に示す表示体１００は、図１に示す金属層１２を金属微粒子層１３に置き換えた場合を描いている。金属層１２を金属微粒子層１３とすることで、後に説明する表明プラズモン共鳴の振る舞いが変化する。
【００３４】
図４に示す表示体１００は、図１に示す形態において、金属層１２ａを誘電体層１１ａと誘電体層１１ｂで挟み込み、金属層１２ｂを誘電体層１１ｂに形成した積層体２００を含んでいる場合を描いている。図４では金属層１２ａと金属層１２ｂの平均周期Ｄが異なるように描いているが、同じ平均周期Ｄでも良い。
【００３５】
図５に示す表示体１００は、図１に示す形態において、金属層１２を誘電体層１１ａと誘電体層１１ｂで挟み込み、金属微粒子層１３を誘電体層１１ｂに形成し、更に金属微粒子層１３を誘電体層１１ｃで挟み込んで形成した積層体２００を含んでいる場合を描いている。図５では金属層１２と金属微粒子層１３の平均周期Ｄが異なるように描いているが、同じ平均周期Ｄでも良い。
【００３６】
図１および図２、図３、図４、図５に示した表示体１００は、一例として光透過性材料層１３が金属層１２に対して前面側に位置している場合を描いている。後面側に位置していても良い。また、図４および図５に示すように誘電体層１１および金属層１２、更には金属微粒子層１３をそれぞれ１層以上積層する場合には、光透過性材料層１３の両面側に位置していても良い。
【００３７】
以下、図１および図２、図３、図４、図５に示した表示体１００の詳細な構成および光学効果について説明する。
【００３８】
誘電体層１１は、上述したとおり第１界面領域ＩＰ１および第２界面領域ＩＰ２を含んでいる。より具体的には、第１界面領域ＩＰ１および第２界面領域ＩＰ２は図６および図７、図８に示されるようにＸＹ平面にて２次元的、かつ周期的に形成されている。
【００３９】
図６において、第１界面領域ＩＰ１と第２界面領域ＩＰ２は、共に単位領域ＩＰ０に対して同じ面積を占めており、共に正方形形状となっている。図７においては、単位領域ＩＰ０において第１界面領域ＩＰ１の面積が第２界面領域ＩＰ２の面積よりも小さくなっており、かつ形状もＹ軸方向が長軸となるような長方形形状となっている。更に図８においては、単位領域ＩＰ０において第１界面領域ＩＰ１の面積が第２界面領域ＩＰ２の面積よりも小さくなっており、かつ第１界面領域ＩＰ１の形状が円形状となっている。
【００４０】
図６および図７、図８において、第１界面領域ＩＰ１および第２界面領域ＩＰ２の形状は正方形形状、長方形形状、円形状となっているが、それらの形状だけではなく、多角形形状や楕円形状、歪んだ円形状などの複雑な形状や幾何学的な模様でも良い。このように第１界面領域ＩＰ１および第２界面領域ＩＰ２の形状を多種多様とすることで、後に説明する表面プラズモン共鳴の特性が変化すると共に、表示体１００の観察方法において、偏光特性を付与することが可能となる。
【００４１】
誘電体層１１に設けられている第１界面領域ＩＰ１および第２界面領域ＩＰ２のどちらか一方の領域サイズが、単位領域ＩＰ０あたり１００ｎｍ２以上１６００００ｎｍ２以下
であることが好ましく、２５０ｎｍ２以上９００００ｎｍ２以下であることがより好ましい。こうすることで、第１界面領域ＩＰ１および第２界面領域ＩＰ２の面積比を変えることが可能になると共に、第１界面領域ＩＰ１および第２界面領域ＩＰ２のどちらか一方の領域サイズが可視光波長よりも小さくすることが可能となるため、後に説明する光学効果の特性が変化する。
【００４２】
金属層１２の層厚は１０ｎｍ乃至２００ｎｍの範囲内とすることが好ましく、１０ｎｍ乃至５０ｎｍの範囲内とすることがより好ましい。こうすることで、後に説明する光学効果がより顕著に現れる。
【００４３】
金属微粒子層１３の層厚は２ｎｍ乃至２０ｎｍの範囲内とすることが好ましく、５ｎｍ乃至２０ｎｍの範囲内とすることがより好ましい。こうすることで、後に説明する光学効果がより顕著に現れる。
【００４４】
第１界面領域ＩＰ１および第２界面領域ＩＰ２それぞれの平均周期Ｄは５０ｎｍ乃至５００ｎｍの範囲内とすることが好ましく、５０ｎｍ乃至３００ｎｍの範囲内とすることがより好ましい。平均周期Ｄを異ならしめることで、後に説明する光学効果がより顕著に現れる。
【００４５】
誘電体層１１の特定の領域ごとに、第１界面領域ＩＰ１と第２界面領域ＩＰ２の面積比を変える、または平均周期Ｄを変える、第１界面領域ＩＰ１および第２界面領域ＩＰ２の形状を変え、かつ各領域をセル構造とすることにより、絵柄を表現することが可能である。
【００４６】
誘電体層１１に形成されている第１界面領域ＩＰ１および第２界面領域ＩＰ２において、上述のような構成を採用すると、本来であれば第１界面領域ＩＰ１および第２界面領域ＩＰ２の平均周期が可視光波長以下であるため、可視光波長領域の光は透過することができない。だが、図１のように金属層１２と誘電体層１１とを隣接して積層することにより、金属層と誘電体層との界面において表面プラズモンと呼ばれる表面波が生じ、その表面プラズモンと伝搬光が共鳴（表面プラズモン共鳴）、結合することにより特定の波長の光が透過する。
【００４７】
その表面プラズモン共鳴を効果的に生じさせるためには、第１界面領域ＩＰ１および第２界面領域ＩＰ２における、平均周期Ｄおよび金属層１２の層厚、金属微粒子層１３の層厚、単位領域ＩＰ０あたりの領域サイズといったパラメーターは、用いられる金属材料や誘電体材料により最適な値とすることが好ましい。
【００４８】
ここで、プラズモンとは物質中の自由電子、あるいはイオンの集団的振動のことである。また、表面プラズモンとはそのプラズモンが金属表面（金属層と誘電体層との界面）に染み出した成分のことである。これらプラズモンおよび表面プラズモンは自由電子、あるいはイオンの集団的振動であるため、電磁波の振る舞いを示す。
【００４９】
表面プラズモンと伝搬光が共鳴するためには、表面プラズモンが励起される材料構成が必須であり、最低でも金属層と誘電体層との界面が必要となる。さらには、後述する光学効果を可視光波長領域で得るためには、少なくとも可視光波長領域において金属層の複素誘電率の実部が負の値であることが必要となる。
【００５０】
表面プラズモンと伝搬光を共鳴させる手法はいくつか提案されており、プリズムの一面に金属層と誘電体層を積層させることで共鳴させる手法や、金属層と誘電体層の界面に微細な周期構造を形成させることで共鳴させる手法などがある。
【００５１】
表面プラズモンの励起条件および共鳴条件は、金属層の層厚および材料、誘電体層の層厚、誘電体層の材料、金属層と誘電体層の積層数、金属層と誘電体層の界面形状などに依存する。
【００５２】
励起された表面プラズモンの角周波数をω、電磁波の速度をｃ、誘電体層の誘電率をε１、金属層の誘電率をε２とすると、表面プラズモンの金属層および誘電体層への染み出し長さδは、下記数２より求められる。
【００５３】
【数２】
2013218595.tif 000004
【００５４】
上記染み出し長さδは、金属層および誘電体層の層厚を決定する際に重要なパラメータとなり、金属層と誘電体層が積層されたときに、その層厚を染み出し長さ未満とすることで、各界面にて励起された表面プラズモンが結合し、共鳴条件が変化する。
【００５５】
染み出し長さδは励起された表面プラズモンの強度が１／ｅの大きさになる長さであるため、実際には染み出し長さδ以上においても微弱ながら表面プラズモンは染み出している。そのため、染み出し長さδ以上の層厚とすることも可能である。ここでｅは自然数を表す。
【００５６】
図１および図２に示した表示体１００において、図１での金属層１２は、誘電体層１１における第１界面領域ＩＰ１に平均周期Ｄで形成されている。一方で図２の金属層１２は、第２界面領域ＩＰ２に平均周期Ｄで形成されている。平均周期Ｄが同じ値であり、かつ第１界面領域ＩＰ１および第２界面領域ＩＰ２の領域サイズが単位界面ＩＰ０に対して同じ値であれば、表面プラズモンの共鳴条件は同じである。しかし、平均周期Ｄが異なっているあるいは、第１界面領域ＩＰ１および第２界面領域ＩＰ２の領域サイズが異なっている、誘電体層１１の材料が異なっている、金属層１２の材料が異なっているなどとなると、表面プラズモンの共鳴条件が変化する。より具体的には、後述する光学効果において、透過する光の波長が変化する。更には、図１および図２において金属層１２の上に更に誘電体層を設けることによっても、表面プラズモンの共鳴条件は変化する。
【００５７】
図３に示した表示体１００においては、図１に示した表示体１００の金属層１２が金属微粒子層１３となっている。金属層１２を金属微粒子層１３とすることと、金属微粒子層１３の内部に複数の金属微粒子が含有されるため、微粒子１つ１つの表面プラズモンが共鳴、結合することとなる。そのため、表面プラズモンの共鳴条件は大きく変化する。
【００５８】
更に、図４に示した表示体１００において、金属層１２ａは誘電体層１１ａと誘電体層１１ｂにより挟まれており、金属層１２ｂは誘電体層１１ｂと空気により挟まれている。こうすることで、金属層と誘電体層の積層数が異なっているため、表面プラズモンの共鳴条件が変化する。より具体的には、誘電体層１１ｂの層厚が式（１）の条件を満たす場合、金属層１２ａの界面で生じた表面プラズモンが金属層１２ｂの界面で生じた表面プラズモンと結合することが可能となるため、表面プラズモンの共鳴条件が変化する。
【００５９】
図４に示した表示体１００において、誘電体層１１ａ、１１ｂの材料を異ならしめること、および金属層１２ａ、１２ｂの材料を異ならしめることのどちらか一方または両方の条件を満たすことにより、金属層１２ａ、１２ｂの周囲環境が異なるため、表面プラズモンの共鳴条件が変化する。加えて、金属層１２ａ、１２ｂの平均周期Ｄ、領域サイズ、層厚などのパラメーターを変えることによっても表面プラズモンの共鳴条件が変化する。
【００６０】
図５に示した表示体１００において、金属層１２は誘電体層１１ａと誘電体層１１ｂに
より挟まれており、金属微粒子層１３は誘電体層１１ｂと誘電体層１１ｃにより挟まれている。こうすることで、金属層１２と誘電体層１１だけではなく、金属微粒子層１３が積層されるため、表面プラズモンの共鳴条件が変化する。より具体的には、金属層１２の界面で生じた表面プラズモンと金属微粒子層１３の界面で生じた表面プラズモンの特性は異なるため、金属層１２と金属微粒子層１３にて生じた表面プラズモンの結合条件も異なり、結果的に表面プラズモンの共鳴条件が変化する。
【００６１】
上述したように、表示体１００は誘電体層１１の特定のセル領域ごとに、第１界面領域ＩＰ１と第２界面領域ＩＰ２の面積比を変える、または平均周期Ｄを変える、第１界面領域ＩＰ１および第２界面領域ＩＰ２の形状を変えることにより、絵柄を表現することが可能である。更には、特定のセル領域ごとに誘電体層１１および金属層１２の積層数または積層順序、積層材料を変えることによっても、絵柄を表現することが可能である。
【００６２】
図９では第２界面領域ＩＰ２において１次元または２次元的な周期構造を形成している。そうすることで、第１界面領域ＩＰ１に金属層１２や金属微粒子層１３を残すことが容易となる。具体的には、第２界面領域ＩＰ２に周期構造を設けることによって、第１界面領域ＩＰ１と第２界面領域ＩＰ２の表面積を異ならしめることができるため、金属層１２を蒸着時に第２界面領域ＩＰ２における金属の層厚は薄くなり、化学的エッチングやレーザー加工により容易に金属を除去することが可能となる。また、第２界面領域ＩＰ２の表面積が第１界面領域ＩＰ１に比べ大きくなることから、第２界面領域ＩＰ２の撥水性が向上する。そのため、溶媒やバインダーなどに分散された金属微粒子は第２界面領域ＩＰ２から弾かれ、第１界面領域ＩＰ１に集まるようになる。
【００６３】
そのほかの手法として、周期構造以外に親水性のある分子や疎水性のある分子などを各界面領域に修飾することによっても上述の金属層１２や金属微粒子層１３のパターニングが可能となる。
【００６４】
図１０は誘電体層１１と金属層１２または金属微粒子層１３との界面におけるセル３００の一例を示している。
【００６５】
図１０において、表示領域ＤＰ１および表示領域ＤＰ２は互いに同じ層構成、材料、構造であっても良く、異なっていても良い。よりセキュリティ性を高めるためには、表示領域ＤＰ１および表示領域ＤＰ２は異なる層構成、材料であることが好ましく、更には第１界面領域ＩＰ１および第２界面領域ＩＰ２からなる周期構造の平均周期Ｄまたは、単位領域ＩＰ０あたりの領域サイズが異なっていることがより好ましい。
【００６６】
更に、よりセキュリティ性を高めるために、表示領域ＤＰ１および表示領域ＤＰ２を用いて絵柄や文字、数字などの情報を表現することが好ましい。図１０においては、表示領域ＤＰ１を背景とし、表示領域ＤＰ２においてアルファベットの「Ｏ」を表現している。このように表示領域によって絵柄や文字、数字などの情報を表現すると、後述の表示体の観察方法にて異なる効果が得られる。
【００６７】
図１０において表示領域は２つとなっているが、より好ましくは２つ以上でもよい。
【００６８】
図１１は本発明の表示体の一つの例を示しており、更に図１２はその表示体を光を透過させて観察している例を示している。
【００６９】
図１１において、表示領域ＤＰ１および表示領域ＤＰ２は互いに同じ層構成、材料、構造であっても良く、異なっていても良い。よりセキュリティ性を高めるためには、表示領域ＤＰ１および表示領域ＤＰ２は異なる層構成、材料であることが好ましく、更には界面
領域ＩＰ１および界面領域ＩＰ２からなる周期構造の平均周期Ｄまたは、単位領域ＩＰ０あたりの領域サイズが異なっていることがより好ましい。
【００７０】
図１１に示した表示体１００において、図１２のように光を透過させて観察することにより、表示領域ＤＰ１および表示領域ＤＰ２において表面プラズモンの共鳴条件に対応した透過色を観察することが可能となる。より具体的には、誘電体層１１に形成されている第１界面領域ＩＰ１および第２界面領域ＩＰ２の平均周期Ｄや、単位領域ＩＰ０あたりの第１界面領域ＩＰ１と第２界面領域ＩＰ２の領域サイズの違い、誘電体層１１と金属層１２および金属微粒子層１３の材料や積層数、積層順の違いにより、表面プラズモンの共鳴波長が変化することで表示体１００を透過した光のスペクトルも変化し、結果的に有色な透過像を観察することが可能となる。
【００７１】
図１２において、表示体１００を透過光で観察する際、入射光ＩＬに偏光特性を持たせることにより、表示体１００の透過色を異ならしめることが可能となる。具体的には、表面プラズモンに偏光応答性があることにより、この効果が可能となる。
【００７２】
金属層１２または金属微粒子層１３にて覆われている第１界面領域ＩＰ１または第２界面領域ＩＰ２の形状が、長方形形状または楕円形状などのように長軸、短軸を有している場合、上述の偏光応答性が顕著に現れる。こうすることで、透過観察時の潜像を形成することも可能となり、より偽造防止耐性を向上させることが可能となる。
【００７３】
表示体１００は、偽造防止以外の目的で使用してもよい。例えば、表示体１００は、玩具、学習教材又は装飾品等としても利用することができる。
【実施例】
【００７４】
以下、実施例により本発明を具体的に説明するが、本発明はこの形態に限定されるものではない。
【００７５】
光透過性を有する基材としてＰＥＴフィルムを用い、その一方の面に誘電体層として紫外線硬化性樹脂をグラビアロールコーターで塗工し、界面領域形成用フィルムとした。
【００７６】
次に、界面領域の表面積を異ならしめるために、周期凹凸構造を平均周期３００ｎｍで２次元正方格子状となるように配列させた金属版を作製した。
【００７７】
次に、界面領域形成用フィルムの紫外線硬化性樹脂面に金属版に押し当て、メタルハライドランプによる紫外線を照射し、硬化後、金属版を剥離することにより周期凹凸構造を形成した。その後、凹凸構造上に真空蒸着法によってアルミニウムを膜厚５０ｎｍ程度となるように蒸着し、金属層を設けた。なお、アルミニウムの複素誘電率の実部は、公知のように可視光波長領域において負の値を示している。
【００７８】
前記周期凹凸構造が形成され、かつ前記金属層が蒸着された界面領域においては、前記周期凹凸構造が形成されていない界面領域に比べ、前記金属層の層厚が薄くなっている。そのため、化学エッチング処理により容易に除去することが可能である。化学エッチング処理後、特定の一部界面領域にて前期紫外線硬化性樹脂を層厚５０μｍで硬化させ、表示体を得た。
【００７９】
上記のようにして得られた表示体は、光を透過させることにより、前記誘電体層と前記金属層のみによる領域と前記金属層を前記誘電体層により挟み込んだ領域とにおいて、透過像の色味が異なっていることを目視確認できた。
【符号の説明】
【００８０】
１０…基材、１１…誘電体層、１２…金属層、１３…金属微粒子層、１００…表示体、２００…積層体、３００…セル、Ｄ…平均周期、ＩＰ０…単位領域、ＩＰ１…第１界面領域、ＩＰ２…第２界面領域、ＤＰ１…表示領域、ＤＰ２…表示領域、ＬＳ…光源、ＩＬ…入射光、ＴＬ…透過光、ＯＢ…観察者。
【図１１】
2013218595.tif 000006
【図１２】
2013218595.tif 000007
【図１】
2013218595.tif 000008
【図２】
2013218595.tif 000009
【図３】
2013218595.tif 000010
【図４】
2013218595.tif 000011
【図５】
2013218595.tif 000012
【図６】
2013218595.tif 000013
【図７】
2013218595.tif 000014
【図８】
2013218595.tif 000015
【図９】
2013218595.tif 000016
【図１０】
2013218595.tif 000017